(57)【要約】【課題】  構造及び作業が簡単でコストも低くて済むコンクリート構造物の補強構造の提供。【解決手段】曲げ補強を必要とする被補強部２と、少なくとも一部３ａが該被補強部２の表面２ａから突出するように配置された基部３と、を備えたコンクリート構造物１において、前記被補強部２における曲げ補強を必要とする面２ａに、外力を受けた場合に引っ張り力が作用し得る方向Ｐに沿って形成された溝部２ｂと、該溝部２ｂと連続するように、前記基部３に穿設された孔部３ｂと、これらの溝部２ｂ及び孔部３ｂに亘って配置された補強用ロッド４と、これらの溝部２ｂ及び孔部３ｂに充填されて前記補強用ロッド４を固定する接着剤５と、を設けて構成されているので、構造及び作業が簡単でコストも低くて済む。【選択図】  図１  
2005054532.tif 000002
【特許請求の範囲】
【請求項１】
曲げ補強を必要とする被補強部と、少なくとも一部が該被補強部の表面から突出するように配置された基部と、を備えたコンクリート構造物において、
前記被補強部における曲げ補強を必要とする面に、外力を受けた場合に引っ張り力が作用し得る方向に沿って形成された溝部と、
該溝部と連続するように、前記基部に穿設された孔部と、
これらの溝部及び孔部に亘って配置された補強用ロッドと、
これらの溝部及び孔部に充填されて前記補強用ロッドを固定する接着剤と、
を設けて構成したコンクリート構造物の補強構造。
【請求項２】
前記補強用ロッドを前記溝部に閉じ込めるように前記被補強部に巻き付けられた補強用シート、
を設けて構成した請求項１に記載のコンクリート構造物の補強構造。
【請求項３】
前記補強用ロッドがＦＲＰ製である、
請求項１又は２に記載のコンクリート構造物の補強構造。
【請求項４】
前記補強用シートがＦＲＰ製である、
請求項２に記載のコンクリート構造物の補強用構造。
【請求項５】
前記被補強部が脚柱であり、前記基部がフーチングである、
ことを特徴とする請求項１乃至４のいずれか１項に記載のコンクリート構造物の補強構造。
【請求項６】
曲げ補強を必要とする被補強部と、少なくとも一部が該被補強部の表面から突出するように配置された基部と、を備えたコンクリート構造物において、
前記被補強部における曲げ補強を必要とする面に、外力を受けた場合に引っ張り力が作用し得る方向に沿って溝部を形成する工程と、
該溝部と連続するように孔部を前記基部に穿設する工程と、
これらの溝部及び孔部に亘って補強用ロッドを配置する工程と、
前記補強用ロッドを固定するために、これらの溝部及び孔部に接着剤を充填する工程と、
を有するコンクリート構造物の補強方法。
【請求項７】
前記補強用ロッドを前記溝部に閉じ込めるように、前記被補強部に補強用シートを巻き付ける工程、
を有する請求項６に記載のコンクリート構造物の補強方法。
【請求項８】
前記溝部との境目で湾曲しないように前記孔部を穿設する、
請求項６又は７に記載のコンクリート構造物の補強方法。
【請求項９】
前記溝部との境目で僅かに湾曲するように前記孔部を穿設する、
請求項６又は７に記載のコンクリート構造物の補強方法。
【発明の詳細な説明】
【技術分野】
【０００１】
本発明は、曲げ補強を必要とする被補強部を備えたコンクリート構造物の補強構造、及びコンクリート構造物の補強方法に関する。
【背景技術】
【０００２】
近年、大地震によって、道路や鉄道の橋脚などの既設のコンクリート構造物も倒壊などの被害を受けているが、それに伴い、コンクリート構造物において曲げ力の影響を受け易い部分に曲げ補強を施す技術が注目されている。以下、その一例として、ＲＣ橋脚の耐震補強工法について説明する。
【０００３】
ＲＣ橋脚の耐震補強工法の一つに鋼板巻立て工法がある。この工法は、図６に示すように、橋脚基部１００の外周面に巻き付ける形で鋼板（以下、“内側鋼板”とする）１０１を接着し、その内側鋼板１０１及び橋脚上部の外周面に巻き付ける形で補強用繊維シート１０２を接着し、橋脚基部１００の周りを囲むように別の鋼板（以下、“外側鋼板”とする）１０３を円筒状や角筒状に立設させ、これらの鋼板１０１，１０３の間隙に、コンクリートや無収縮モルタルなどの充填剤１０４を充填するものである（以下、適宜“背景技術１”とする）。なお、この工法では、内側鋼板１０１にブラケット（不図示）を取り付けると共にフーチング１０５に鉄筋からなるアンカー部材（不図示）を埋め込み、それらのブラケットとアンカー部材とを連結するようなことも行われる場合もある。
【０００４】
また、ＲＣ橋脚の耐震補強工法の別の例としては、図７に示すようなものがある（以下、適宜“背景技術２”とする）。この工法は、橋脚２００の外周面に補強用シート２０１を巻き付け、補強用シート２０１を橋脚２００に押え付けるように鋼製アングル材２０２を配置して、該アングル材２０２を鋼製アンカーボルト２０３でフーチング２０４に固定するものである（例えば、特許文献１参照）。
【０００５】
【特許文献１】特開平１１−０５０６７３号公報
【発明の開示】
【発明が解決しようとする課題】
【０００６】
しかしながら、上述した背景技術１では、内側鋼板１０１や外側鋼板１０３を設置したり、それらの間に充填剤１０４を充填したりしなければならず、構造が複雑で作業に時間がかかり、その分、工事費が増大してしまうという問題があった。また、背景技術２においても同様で、補強用シート２０１を巻いたりアングル材２０２で固定したりする必要があり、作業に時間がかかり、その分、工事費が増大してしまうという問題があった。
【０００７】
さらに、いずれの背景技術においても、鋼材を多量に使用しているので、その運搬や設置作業が大変になるという問題もあった。
【０００８】
また、上述した背景技術１では、橋脚基部にコンクリート（あるいはモルタル）などを打設する必要があり、死荷重が増加してしまうという問題もあった。さらに、上述した背景技術２では、補強効果が十分でなく、また、アングル材２０２によって補強用シート２０１が破断され易いという問題もあった。またさらに、背景技術２において補強用シート２０１の破断を防止しようとするとアングル材２０２の端部形状を丸みの帯びたものにする必要があり、補強効果を高めようとすると、アングル材２０２の配置位置や形状や剛性、アンカーボルト２０３の位置や本数などを最適にする必要があるが、その最適設計自体が困難であって、補強効果にバラツキが生じ易いという問題があった。
【０００９】
本発明は、構造及び作業が簡単でコストも低くて済むコンクリート構造物の補強構造、及びコンクリート構造物の補強方法を提供することを目的とするものである。
【課題を解決するための手段】
【００１０】
請求項１に係る発明は、図１及び図２に例示するものであって、曲げ補強を必要とする被補強部（２）と、少なくとも一部（３ａ）が該被補強部（２）の表面（２ａ）から突出するように配置された基部（３）と、を備えたコンクリート構造物（１）において、
前記被補強部（２）における曲げ補強を必要とする面（２ａ）に、外力を受けた場合に引っ張り力が作用し得る方向（図２の符号Ｐ参照）に沿って形成された溝部（同図の符号２ｂ参照）と、
該溝部（２ｂ）と連続するように、前記基部（３）に穿設された孔部（図２の符号３ｂ参照）と、
これらの溝部（２ｂ）及び孔部（３ｂ）に亘って配置された補強用ロッド（図１及び図３の符号４参照）と、
これらの溝部（２ｂ）及び孔部（３ｂ）に充填されて前記補強用ロッド（４）を固定する接着剤（図３(a) の符号５参照）と、
を設けて構成したものである。
【００１１】
請求項２に係る発明は、請求項１に係る発明において、図３(a) に示すように、前記補強用ロッド（４）を前記溝部（２ｂ）に閉じ込めるように前記被補強部（２）に巻き付けられた補強用シート（６）、を設けて構成したものである。
【００１２】
請求項３に係る発明は、請求項１又は２に記載の発明において、前記補強用ロッド（４）がＦＲＰ製である、ことを特徴とする。
【００１３】
請求項４に係る発明は、請求項２に記載の発明において、前記補強用シート（６）がＦＲＰ製である、ことを特徴とする。
【００１４】
請求項５に係る発明は、請求項１乃至４のいずれか１項に記載の発明において、前記被補強部（２）が脚柱であり、前記基部（３）がフーチングである、ことを特徴とする。
【００１５】
請求項６に係る発明は、曲げ補強を必要とする被補強部（２）と、少なくとも一部（３ａ）が該被補強部（２）の表面（２ａ）から突出するように配置された基部（３）と、を備えたコンクリート構造物（１）において、
前記被補強部（２）における曲げ補強を必要とする面（２ａ）に、外力を受けた場合に引っ張り力が作用し得る方向（図２の符号Ｐ参照）に沿って溝部（２ｂ）を形成する工程と、
該溝部（２ｂ）と連続するように孔部（３ｂ）を前記基部（３）に穿設する工程と、
これらの溝部（２ｂ）及び孔部（３ｂ）に亘って補強用ロッド（図１及び図３の符号４参照）を配置する工程と、
前記補強用ロッド（４）を固定するために、これらの溝部（２ｂ）及び孔部（３ｂ）に接着剤（図３(a) の符号５参照）を充填する工程と、を有することを特徴とする。
【００１６】
請求項７に係る発明は、請求項６に係る発明において、前記補強用ロッド（４）を前記溝部（２ｂ）に閉じ込めるように、前記被補強部（２）に補強用シート（６）を巻き付ける工程、を有することを特徴とする。
【００１７】
請求項８に係る発明は、請求項６又は７に記載の発明において、前記溝部（２ｂ）との境目で湾曲しないように前記孔部（３ｂ）を穿設する、ことを特徴とする。
【００１８】
請求項９に係る発明は、請求項６又は７に記載の発明において、前記溝部（２ｂ）との境目で僅かに湾曲するように前記孔部（３ｂ）を穿設する、ことを特徴とする。
【００１９】
なお、括弧内の番号などは、図面における対応する要素を示す便宜的なものであり、従って、本記述は図面上の記載に限定拘束されるものではない。
【発明の効果】
【００２０】
請求項１に係る発明によれば、溝部や孔部や補強用ロッド等だけの簡単な構造により補強することができるため、補強作業が簡単で工事費も安くできる。また、多量の鋼材を使用する必要も無いので、その運搬や設置作業が大変になるという問題も無い。さらに、コンクリート等を打設することも無いので死荷重の増加という心配も無い。また、補強構造が簡単であるため、常に安定した補強効果を得ることができる。
【００２１】
請求項２に係る発明によれば、前記補強用ロッドを補強用シートで前記溝部に閉じ込めることができる。したがって、溝部に充填する接着剤として、粘着性が多少低い材質のものも使用することができ、接着剤によってはコスト低減等の付随的効果を図ることができる。また、被補強部に溝部を形成して補強用ロッドや接着剤を埋め込んだだけではその部分がクラック状の模様となってコンクリート構造物の見栄えを悪くしてしまうおそれがあるが、前記補強用シートによって前記溝部を隠すことができ、見栄えを向上させることができる。
【００２２】
請求項３に係る発明によれば、溝部、孔部及びＦＲＰ製の補強用ロッドで補強するだけで金属材料は一切使用していないので、錆びの発生の心配は無い。したがって、水中や海沿いなど、比較的錆びが発生し易い場所に付設されたコンクリート構造物であっても、錆びの発生を防いで、曲げ補強効果を半永久的に維持することができる。また、補強用シートを巻き付ける場合であっても、補強用ロッドと擦れて補強用シートが破れてしまう事態を回避できる。
【００２３】
請求項４に係る発明によれば、請求項２に係る発明の効果と、請求項３に係る発明の効果の両方を得ることができる。
【００２４】
請求項５に係る発明によれば、道路や鉄道を支持し、地震発生時に大きな曲げ力を受け易い脚柱の曲げ補強を、比較的簡単な構造により達成することができる。
【００２５】
請求項６に係る発明によれば、請求項１と同様の効果を得ることができる。
【００２６】
請求項７に係る発明によれば、請求項２と同様の効果を得ることができる。
【００２７】
請求項８に係る発明によれば、前記溝部と前記孔部との境目で補強用ロッドが湾曲してしまうことが無く、曲げ補強効果を長く保つことができる。
【００２８】
請求項９に係る発明によれば、前記被補強部との干渉を回避して孔部を穿設することができる。
【発明を実施するための最良の形態】
【００２９】
図１(a) は、本発明に係るコンクリート構造物の補強構造の一例を示す側面図であり、同図(b) は同図(a) の内部鉄筋等の補強部材の表示を省略したＡ−Ａ断面図であり、同図(c) は同図(a) のＢ−Ｂ端面図である。また、図２は、溝部や孔部の位置関係を説明するための図であり、図３(a) は、溝部等の形状を示す詳細端面図、同図(b) は溝部における補強用ロッドの配置状態を説明するための詳細断面図である。さらに、図４は、溝部や孔部の位置関係（別の例）を説明するための図である。
【００３０】
(1)   まず、本発明に係るコンクリート構造物の補強構造について説明する。
【００３１】
本発明に係るコンクリート構造物は、図１(a) に符号１で示すように、曲げ補強を必要とする被補強部２と、少なくとも一部が該被補強部２の表面２ａ（すなわち、地震発生に伴い該被補強部２が外力を受けた場合に少なくとも引っ張り力が瞬間的又は継続的に作用し得る面であって、曲げ補強を必要とする面であり、以下、“被補強面２ａ”とする）から突出するように配置された基部３と、を備えている。つまり、前記被補強面２ａから基部３が突出するように配置されているので、基部３は、前記被補強面２ａと略直交する面（以下、“基面”とする）３ａを一部に有することとなる。
【００３２】
例えば、本発明は、図１(a) に示すように、被補強部としての脚柱２、及び基部としてのフーチング３からなる橋脚基部（鉄道や道路の橋脚基部）に適用できるが、その他のコンクリート構造物、例えば、
(a)   地盤に埋設されたコンクリート製のブロック（基部）と、該ブロックに立設された柱や煙突などの長尺構造物や壁状部材（被補強部）とからなるものや、
(b)   曲げ力を受け得る堅固な柱や壁（基部）と、その柱や壁等に連結された梁状部材や天井部材（被補強部）とからなる構造物や、
(c)   基部としての大断面部と、被補強部としての小断面部とからなる柱状部材、
等にも適用することができる。本発明を橋脚基部に適用した場合には、道路や鉄道を支持し、地震発生時に大きな曲げ力を受け易い脚柱の曲げ補強を、比較的簡単な構造により達成することができる。
【００３３】
ところで、上述した被補強面２ａの形状や位置や数は、該被補強部２の断面形状に応じて異なる。例えば、壁式橋脚のように、被補強部２の断面形状が極端に細長い形状であれば、地震発生時において引っ張り力や圧縮力は（幅狭の方の側面には作用せずに）専ら幅広の方の側面に作用することとなるので、該側面が被補強面ということになる。これに対し、被補強部２の断面形状が細長くなくて正方形に近い矩形や略円形の場合には、地震発生時において引っ張り力や圧縮力は全ての側面に作用する可能性があり、全ての側面が被補強面ということになる。さらに、被補強部２の断面形状がその他の形状の場合には、被補強面２ａの個数や位置も異なることとなる。
【００３４】
いずれの場合においても、被補強面２ａには、図２に詳示するように、外力を受けた場合に引っ張り力が作用し得る方向に沿った方向（前記被補強部２の中立面や中立線２ｃに沿った方向であって、符号Ｐで示す方向）に、前記基部３（正確には前記基面３ａ）に接する位置まで溝部２ｂが形成されており、前記基部３には、該溝部２ｂと連続するように孔部３ｂが穿設されている。つまり、これらの溝部２ｂ及び孔部３ｂによって、前記被補強面２ａにおける引っ張り力が作用する方向Ｐに沿って長尺状の空間が形成されることとなり、その空間の内部には、溝部２ｂ及び孔部３ｂに亘って補強用ロッド（図１(a) 及び図３(a) (b) の符号４参照）が配置されている。さらに、これらの溝部２ｂ及び孔部３ｂには接着剤５が充填されて補強用ロッド４が固定されている。本発明は、このような溝部２ｂ、補強用ロッド４及び孔部３ｂを１組だけ配置する構造を排除するものではないが、より有効な曲げ補強のためには、被補強面２ａにそれらを複数組並設すると良く、さらに、補強用ロッド４を前記溝部２ｂに閉じ込めるように補強用シート（図３(a) の符号６参照）を前記被補強部２に巻き付けると良い。
【００３５】
本発明によると、溝部２ｂや孔部３ｂや補強用ロッド４等だけの簡単な構造により補強することができるため、補強作業が簡単で工事費も安くできる。また、多量の鋼材を使用する必要も無いので、その運搬や設置作業が大変になるという問題も無い。さらに、コンクリート等を打設することも無いので死荷重の増加という心配も無い。また、補強構造が簡単であるため、常に安定した補強効果を得ることができる。
【００３６】
ここで、補強用ロッド４を上述のように配置することにより曲げ補強が達成される理由について簡単に説明する。地震等により、図２に符号Ｈで示すように被補強部２に外力が作用すると、中立面や中立線（図２の符号２ｃ参照）から離れた被補強面２ａには、符号Ｐで示す方向に引っ張り力（外縁引っ張り力）が作用する。しかし、その方向への被補強面２ａの伸びは補強用ロッド４により阻止されるので、被補強部２の撓み変形量を少なくでき、その結果、被補強部自体の破損を防止できることとなる。
【００３７】
以下、(1-1) 溝部、(1-2) 孔部、(1-3) 補強用ロッド、(1-4) 接着剤及び(1-5) 補強用シートについて詳述する。
【００３８】
(1-1)   溝部について
【００３９】
上述のように、溝部２ｂは、補強用ロッド４を埋め込んで（発生する引っ張り力に抗して）該ロッドを被補強部２の側に支持するためのものである。したがって、溝部２ｂの長さ（正確には、該溝部２ｂ中で補強用ロッド４が接着剤５にて固定されている長さ）は、想定し得る最大荷重が印加されたとしても補強用ロッド４が抜けてしまわないな長さにしておく必要がある。しかし、その長さは、補強用ロッド４の太さや本数、或いは被補強部２の形状等に応じて異なるので、適宜変更すると良い。例えば、本発明を橋脚基部に適用する場合は、フーチング天端から補強後の主鉄筋降伏範囲に（橋脚の）断面高さを加えた長さに溝部を形成すると良い。なお、補強後の主鉄筋降伏範囲は、断面分割法によって容易に計算できる。
【００４０】
また、溝部２ｂが補強用ロッド４を埋め込むことができるように、溝部深さ（図３(b) の符号Ｅ参照）及び溝部幅（同図の符号Ｆ参照）の両方を該補強用ロッド４の直径（同図の符号Ｄ参照）より大きくすると良い。但し、溝部２ｂの深さＥや幅Ｆを大きくし過ぎると、
・  被補強部の強度を却って弱めてしまったり、
・  被補強部内部の鉄筋を傷付けてしまったり、
・  溝堀り作業に必要以上の時間や手間が掛かってしまったり、
・  接着剤５の使用量が多くなり過ぎたり、
という種々の弊害が生じるので、溝部２ｂの深さＥや幅Ｆは補強用ロッド４の直径Ｄより多少大きい程度（例えば、１０ｍｍ位大きい程度）にしておくと良い。
【００４１】
(1-2) 孔部について
【００４２】
上述のように、溝部２ｂと孔部３ｂとによって長尺状の空間が形成されるが、この長尺状空間は、
・  図２に示すように、ほぼ直線状に配置しても（つまり、前記溝部２ｂとの境目で湾曲しないように前記孔部３ｂを穿設しても）、
・  図４に示すように、溝部２ｂと孔部３ｂとの境目で僅かに湾曲した状態に配置しても（つまり、前記溝部２ｂとの境目で僅かに湾曲するように前記孔部３ｂを穿設しても）、
良い。但し、この長尺状空間を湾曲させる場合であっても、溝部２ｂと孔部３ｂとの境目の湾曲部Ｇは緩やかな形状で前記補強用ロッド４が折れ曲がらないようにすると良い。
【００４３】
ここで、長尺状空間を湾曲させる点について説明する。
【００４４】
コンクリート構造物における孔部３ｂの穿設は、通常、コンクリートコアドリルで行うが、図２に示すように、孔部３ｂを被補強面２ａに沿うように穿設しようとすると、ドリルが被補強部２と干渉してしまうおそれがある。かかる場合には、穿設方向（図４の符号Ｊ参照）に少し角度θを与えてやって孔部３ｂを穿設すると良い。なお、補強用ロッド４の折れ曲がりに伴う強度低下を回避するには、
・  ドリルの傾斜角θをできるだけ小さくして長尺状空間があまり湾曲しないようにし、
・  溝部２ｂと孔部３ｂとの境目の湾曲部Ｇに仕上げ処理を施して、溝部２ｂと孔部３ｂとが緩やかに繋がるようにする、
と良い。
【００４５】
なお、本発明を橋脚基部に適用する場合、脚柱下方には帯鉄筋が埋設されていることが多いので、それらの帯鉄筋を破損しないためにも、ドリルの傾斜角θをできるだけ小さくすることが有効である。そのためには、
・  ヘッド部があまり大きくない機種のコンクリートコアドリルを用いるか、
・  コンクリートコアドリルが干渉しないように、被補強部２を部分的に削ってやる（図２の符号Ｋ参照）、
と良い。なお、被補強部２の削った部分は、後で埋めておくと良い。
【００４６】
ところで、孔部３ｂの深さ（図２及び図３の符号Ｌ参照）は、想定し得る最大荷重が作用したときでも補強用ロッド４が抜けない程度以上、具体的には補強用ロッド４の直径の５０〜１００倍程度に設定すると良い。また、孔部３ｂの直径は、溝部２ｂの深さＥや幅Ｆと同じ理由によりあまり大きくならない程度、例えば補強用ロッド４の直径よりも１０〜２０ｍｍ程度大きい程度に設定すると良い。
【００４７】
(1-3) 補強用ロッドについて
【００４８】
補強用ロッド４には鉄筋を用いても良いが、錆びの発生を回避する点からは、炭素、アラミド、ガラス繊維製などのＦＲＰを用いる方が良い。
【００４９】
補強用ロッド４をＦＲＰ製とした場合には、曲げ補強部に金属材料は一切使用しないので、錆びの発生の心配は無い。したがって、水中や海沿いなど、比較的錆びが発生し易い場所に付設されたコンクリート構造物であっても、錆びの発生を防いで、曲げ補強効果を半永久的に維持することができる。また、補強用シートを巻き付ける場合であっても、補強用ロッドと擦れて補強用シートが破れてしまう事態を回避できる。なお、ＦＲＰの中でもアラミド繊維製のものは、引っ張り耐力が高くて好ましい。また、このアラミド繊維製のＦＲＰは曲げ部での耐力低下が比較的少ないので、図４に示すように溝部２ｂと孔部３ｂとの境目を湾曲させるような場合には特に好ましい。
【００５０】
(1-4) 接着剤について
【００５１】
接着剤５としてはエポキシ樹脂等を挙げることができる。
【００５２】
(1-5) 補強用シートについて
【００５３】
上述した補強用シート６としては、炭素、アラミド、ガラス繊維製などのＦＲＰを用いると良い。ＦＲＰの中でもアラミド繊維製のもの（ＡＦＲＰシート）を用いた場合には、引張耐力が高く，曲げ部での耐力低下が少ないので好ましい。なお、本発明を橋脚基部の曲げ補強に適用する場合は、橋脚に配置されている帯鉄筋と同等程度のせん断補強効果を有する程度のシートを用いると良い。
【００５４】
この補強用シート６は、剥がれないように巻き付ければ良く、想定し得る最大加重状態において降伏すると考え得る範囲（降伏領域）に巻き付ければ良い。この補強用シート６は、被補強部２の靭性補強材としても有効に機能する。
【００５５】
また、上述のように補強用シート６を前記被補強部２に巻き付けた場合には、前記補強用ロッド４を補強用シート６で前記溝部２ｂに閉じ込めることができる。したがって、溝部２ｂに充填する接着剤５として、粘着性が多少低い材質のものも使用することができ、接着剤によってはコスト低減等の付随的効果を図ることができる。また、被補強部２に溝部２ｂを形成して補強用ロッド４や接着剤５を埋め込んだだけではその部分がクラック状の模様となってコンクリート構造物の見栄えを悪くしてしまうおそれがあるが、前記補強用シート６によって前記溝部２ｂを隠すことができ、見栄えを向上させることができる。なお、補強用シート６をＦＲＰとした場合には、錆びの発生の心配は無い。したがって、水中や海沿いなど、比較的錆びが発生し易い場所に付設されたコンクリート構造物であっても、錆びの発生を防いで、曲げ補強効果を半永久的に維持することができる。
【００５６】
なお、上述した溝部２ｂや孔部３ｂや補強用ロッド４等は、コンクリート構造物を構築する際に一緒に形成し配置しても良いが、既に構築されているコンクリート構造物に対して配置しても良い。
【００５７】
(2)   次に、本発明に係るコンクリート構造物の補強方法について説明する。
【００５８】
本発明に係るコンクリート構造物の補強方法は、曲げ補強を必要とする被補強部２と、少なくとも一部が該被補強部２の被補強面２ａから突出するように配置された基部３と、を備えたコンクリート構造物に対して実施できるものであって、
・  曲げ補強を必要とする前記被補強面２ａに、外力を受けた場合に引っ張り力が作用し得る方向Ｐに沿って溝部２ｂを形成する工程と、
・  該溝部２ｂと連続するように孔部３ｂを前記基部３に穿設する工程と、
・  これらの溝部２ｂ及び孔部３ｂに亘って補強用ロッド４を配置する工程と、
・  前記補強用ロッド４を固定するために、これらの溝部２ｂ及び孔部３ｂに接着剤５を充填する工程と、
を有するものである。
【００５９】
なお、前記補強用ロッド４を前記溝部２ｂに閉じ込めるように、前記被補強部２に補強用シート６を巻き付ける工程、を実施しても良い。
【００６０】
また、
・  図２に示すように、前記溝部２ｂとの境目で湾曲しないように前記孔部３ｂを穿設しても、
・  図４に示すように、前記溝部２ｂとの境目で僅かに湾曲するように、被補強部２の内方、即ち図４右方に向けた形で前記孔部３ｂを穿設しても、
良い。なお、前者の場合には、前記溝部２ｂと前記孔部３ｂとの境目で補強用ロッド４が湾曲してしまうことが無く、曲げ補強効果を長く保つことができる。また、後者の場合には、前記被補強部２との干渉を回避して孔部３ｂを穿設することができる。
【実施例１】
【００６１】
本実施例では、図１(a) に示すように、被補強部としての脚柱２と、基部としてのフーチング３とからなる橋脚（コンクリート構造物）１を構築した。このうち、脚柱２は、同図(b) (c) に示すような矩形断面の四角柱であり、各側面（被補強面）２ａには上下方向に溝部（図２の符号２ｂ参照）をカッターにて複数本掘り込んだ。このとき、脚柱内部の鉄筋７を傷付けないように注意した。次に、コンクリートコアドリルを用い、各溝部２ｂに直線的に連続するような孔部３ｂをフーチング３に穿設した。そして、それぞれの溝部２ｂ及び孔部３ｂに亘ってＡＦＲＰロッド（補強用ロッド）４を配置し、溝部２ｂとロッド４の隙間にはエポキシ樹脂（接着剤）５を充填した。その後、エポキシ樹脂５が固まる前に、ＡＦＲＰロッド４を押し付けて溝部内の適正な位置になるように調整し、再度、エポキシ樹脂５を充填して表面を平滑に仕上げた。なお、フーチング内の孔部３ｂとＡＦＲＰロッド４の隙間には、粘性を調整したエポキシ樹脂５を充填した。最後に、脚柱２にはＡＦＲＰシート６を巻き付けた。
本実施例によれば、十分な曲げ補強効果を得ることができた。
【実施例２】
【００６２】
本実施例では、図４に示すように、孔部３ｂを斜めに穿設して、溝部２ｂ及び孔部３ｂの境目を湾曲させた。そして、ＡＦＲＰロッド（補強用ロッド）４を図５に示すように湾曲させて配置した。その他の構成は実施例１と同じにした。
本実施例によっても、十分な曲げ補強効果を得ることができた。
【図面の簡単な説明】
【００６３】
【図１】図１(a) は、本発明に係るコンクリート構造物の補強構造の一例を示す側面図であり、同図(b) は同図(a) の内部鉄筋等の補強部材の表示を省略したＡ−Ａ断面図であり、同図(c) は同図(a) のＢ−Ｂ端面図である。
【図２】図２は、溝部や孔部の位置関係を説明するための図である。
【図３】図３(a) は、溝部等の形状を示す詳細端面図、同図(b) は溝部における補強用ロッドの配置状態を説明するための詳細断面図である。
【図４】図４は、溝部や孔部の位置関係（別の例）を説明するための図である。
【図５】図５は、本発明に係るコンクリート構造物の補強構造の他の例を示す側面図である。
【図６】図６(a) は、鋼板巻き立て工法を説明するための側面図であり、(b) はそのＣ−Ｃ断面図である。
【図７】図７は、橋脚における従来の曲げ補強構造の一例を示す断面図である。
【符号の説明】
【００６４】
１              橋脚（コンクリート構造物）
２              脚柱（被補強部）
２ａ            被補強面
２ｂ            溝部
３              フーチング（基部）
３ａ            基面
３ｂ            孔部
４              ＡＦＲＰロッド（補強用ロッド）
５              エポキシ樹脂（接着剤）
６              ＡＦＲＰシート（補強用シート）
【図１】
2005054532.tif 000003
【図２】
2005054532.tif 000004
【図３】
2005054532.tif 000005
【図４】
2005054532.tif 000006
【図５】
2005054532.tif 000007
【図６】
2005054532.tif 000008
【図７】
2005054532.tif 000009